(57)【要約】【課題】レンズの光軸方向への移動を精度良く行うことができ、また、装置全体としての小型化及び軽量化、コストダウンを図ることができるピックアップ装置を提供する。【解決手段】光ピックアップ装置１００は、シャーシ１上に設けられて、光源１１から発光されたレーザ光を記録媒体に照射するコリメータレンズ６と、コリメータレンズ６を保持するレンズホルダ５と、レンズホルダ５に連結されてステッピングモータ２の回転に伴ってレンズホルダ５を光軸方向へと直線移動させる回転軸３と、を備える。コリメータレンズ６が光軸方向に沿って延在する棒状をなし、シャーシ１上に、コリメータレンズ６の外周面に当接し、コリメータレンズ６を光軸方向に沿って移動自在に案内するガイド部材８が設けられている。【選択図】図１
2008251065.tif 000002
【特許請求の範囲】
【請求項１】
シャーシ上に設けられて、光源から発光されたレーザ光を記憶媒体に照射するレンズと、
前記レンズを保持するレンズホルダと、
前記レンズホルダに連結されてモータの回転に伴って前記レンズホルダを光軸方向へと直線移動させる回転軸と、を備え、
前記レンズが光軸方向に沿って延在する棒状をなし、
前記シャーシ上に、前記レンズの外周面に当接し、前記レンズを光軸方向に沿って移動自在に案内するガイド部が設けられていることを特徴とするピックアップ装置。
【請求項２】
光軸方向に延在する副軸を備え、
前記レンズの外周面の一部には、切り欠き面が設けられ、
前記副軸が、前記切り欠き面に当接することによって、前記レンズの前記回転軸の軸周りへの移動が規制されることを特徴とする請求項１に記載のピックアップ装置。
【請求項３】
前記レンズホルダに光軸方向に延在する副軸が当接することによって、前記レンズホルダの前記回転軸の軸周りへの移動が規制されることを特徴とする請求項１に記載のピックアップ装置。
【発明の詳細な説明】
【技術分野】
【０００１】
本発明は、ディスクプレーヤ等に搭載されるピックアップ装置に関する。
【背景技術】
【０００２】
光ディスクの所定領域に集光させたレーザービームのスポットを照射することによって、情報を記録・再生する機器として光ピックアップ装置が知られている。特に、記録密度の極めて高い光ディスクの記録・再生においては、情報記録面までのディスク厚が薄いために、更なるビームスポットの絞込みが必要であると同時に、スポット形状自体の精度が必要となるため、集光レンズの持つ収差をリアルタイムに補正する必要がある。その方法の一つとして、光ピックアップ装置内でコリメータレンズを光軸方向にアクティブに動かすことで補正するという手法が多くとられている。
このような技術として、例えば図７及び図８に示す光ピックアップ装置２００が知られている。図７は、光ピックアップ装置２００と光ディスク２１１を示した斜視図、図８は、光ピックアップ装置２００の斜視図である。図７及び図８に示すように、光ピックアップ装置２００のベースとなるシャーシ２０１に、レンズホルダ２０２、コリメータレンズ２０３、ステッピングモータ２０４、ステッピングモータ２０４の回転軸２０５、主軸２０６及び副軸２０７を備えたリニア駆動アクチュエータが内部に配置されている。コリメータレンズ２０３は、レンズホルダ２０２内に嵌め込まれ、レンズホルダ２０２は、ステッピングモータ２０４の回転軸２０５のギア２０８に噛み合い、レンズホルダ２０２は主軸２０６に前後（光軸方向）に摺動自在かつ回転自在に支持され、副軸２０７によって回転方向が規制されている。そして、ステッピングモータ２０４の駆動によって、レンズホルダ２０２を介してコリメータレンズ２０３が光軸方向に直線移動するようになっている。光源２０９から照射されたレーザ光は、コリメータレンズ２０３及び反射ミラー２１０を介して光ディスク２１１の記録層に集光される。
なお、光ピックアップを光ディスクの半径方向に移動させる場合の一例として、例えば、光ピックアップに設けられた一方の軸をシャーシに当接させて摺動自在とする技術が知られている（例えば、特許文献１参照）。
【特許文献１】特開２００５−１６６２２５号公報
【発明の開示】
【発明が解決しようとする課題】
【０００３】
ところで、光ピックアップ装置は、車載オーディオ機器の用途や携帯を目的としたノート型パーソナルコンピュータで使用される分野などにおいて、その外形形状に制約があり小型化が要求されている。
しかしながら、上記従来の光ピックアップ装置２００において、リニア駆動アクチュエータの機能を満足させるためには主軸２０６、副軸２０７、回転軸２０５の３軸が必要とされ、そのため、部品点数が多く、小型化を図れないという問題がある。
本発明は、上記事情に鑑みてなされたもので、レンズの光軸方向への移動を精度良く行うことができ、また、装置全体としての小型化及び軽量化、コストダウンを図ることができるピックアップ装置を提供することを目的としている。
【課題を解決するための手段】
【０００４】
上記課題を解決するため、請求項１の発明は、シャーシ上に設けられて、光源から発光されたレーザ光を記録媒体に照射するレンズと、
前記レンズを保持するレンズホルダと、
前記レンズホルダに連結されてモータの回転に伴って前記レンズホルダを光軸方向へと直線移動させる回転軸と、を備え、
前記レンズが光軸方向に沿って延在する棒状をなし、
前記シャーシ上に、前記レンズの外周面に当接し、前記レンズを光軸方向に沿って移動自在に案内するガイド部が設けられていることを特徴とする。
【０００５】
請求項２の発明は、請求項１に記載のピックアップ装置において、
光軸方向に延在する副軸を備え、
前記レンズの外周面の一部には、切り欠き面が設けられ、
前記副軸が、前記切り欠き面に当接することによって、前記レンズの前記回転軸の軸周りへの移動が規制されることを特徴とする。
【０００６】
請求項３の発明は、請求項１に記載のピックアップ装置において、
前記レンズホルダに光軸方向に延在する副軸が当接することによって、前記レンズホルダの前記回転軸の軸周りへの移動が規制されることを特徴とする。
【発明の効果】
【０００７】
本発明によれば、レンズの外形を主軸の代わりとすることによって、部品点数の削減により小型化を図れるとともに、組み立て工数を減らすことができコストダウンに繋がる。また、軽量化によって性能面で有利となり、さらに位置精度のばらつきも軽減して、レンズの光軸方向への移動を精度良く行うことができる。
【発明を実施するための最良の形態】
【０００８】
以下に、本発明を実施するための最良の形態について図面を用いて説明する。但し、以下に述べる実施形態には、本発明を実施するための技術的に好ましい種々の限定が付されているが、発明の範囲を実施形態及び図示例に限定するものではない。
図１は、光ピックアップ装置１００の上面図、図２は、図１における切断線I−Iに沿って切断した際の矢視断面図、図３は、光ピックアップ装置１００を構成するシャーシ１及びガイド部材８の外観斜視図、図４(a)は、ステッピングモータ２、回転軸３、副軸７及びコリメータレンズ６の斜視図、(b)は、(a)における上面図、(c)は、(a)における前面図である。なお、以下の説明において、前後方向（光軸方向）とは図３に示すＸ方向を言い、左右方向とは図３に示すＹ方向を言い、上下方向とは図３に示すＺ方向を言うものとする。
光ピックアップ装置１００は、図示しないターンテーブル上に保持されて回転する光ディスク（図７の符号２１１参照）に、光源１１からレーザ光を照射して集光させて光ディスク２１１に情報を記録し、又は記録された情報を再生する装置であり、本実施形態では、コリメータレンズ６を光軸方向に移動させて、光ディスクの記録層と垂直な方向に集光される光束の焦点を調整（フォーカシング）して、球面収差補正を行うことができる。
なお、光ディスクとしては、例えばＤＶＤ（Digital Versatile Disc）、ＣＤ（Compact Disc）、ＢＤ（Blu-ray Disc）等の形式の記憶媒体等が挙げられる。
【０００９】
光ピックアップ装置１００は、下向きに凸となる凹部１aが形成されたシャーシ１と、凹部１aを形成する底面１bに固定されたステッピングモータ２と、ステッピングモータ２の回転軸３と、回転軸３の軸周りに設けられたギア４と、ギア４に噛み合うレンズホルダ５と、レンズホルダ５に保持されたコリメータレンズ６と、コリメータレンズ６の回転を規制する副軸７と、を備える。また、シャーシ１には光源１１、コリメータレンズ６を通過したレーザ光を反射させて光ディスクの記録層に照射する反射ミラー１２等が設けられている。
シャーシ１の底面１bには、コリメータレンズ６の光軸方向の直線移動を案内するガイド部材８が設けられている。
【００１０】
図５(a)は、ガイド部材８、コリメータレンズ６及び副軸７の斜視図、(b)は、(a)における前面図である。
ガイド部材８は、シャーシ１の底面１bに固定された板状の第一のガイド部８１と、第一のガイド部８１の上面８１aに立設された板状の第二のガイド部８２と、を備え、第一のガイド部８１及び第二のガイド部８２が前面視略Ｌ字形に組み付けられている。そして、第一のガイド部８１の上面８１a及び第二のガイド部８２の右側面８２bに、コリメータレンズ６の外周面が当接して光軸方向への移動をガイドしている。
第一のガイド部８１の右側面８１bは、下方に向けて幅広となるように傾斜している。第二のガイド部８２の上端面８２aも下方に向けて幅広となるように傾斜し、さらに、第二のガイド部８２の下端部における右側面８２bも下方に向けて幅広となるように傾斜し、テーパ面８２cとなっている。
なお、第一のガイド部８１の左側面８１d及び第二のガイド部８２の左側面８２dは略面一とされている。また、第一のガイド部８１の前後の長さは、第二のガイド部８２の前後の長さよりもやや長く形成されている（図４(b)、図５(a)参照）。
【００１１】
図１及び図４に示すように、ガイド部材８の左側方には、ステッピングモータ２に固定された回転軸３が光軸方向に沿って配置され、回転軸３の軸周りには、ギア４が設けられている。ギア４の外周には螺旋状にネジ溝４１が形成されており、この螺旋状のネジ溝４１にレンズホルダ５が噛み合っている。したがって、ステッピングモータ２の回転に伴い回転軸３が回転することによって、ギア４に噛み合うレンズホルダ５が光軸方向に移動するようになっている。
【００１２】
レンズホルダ５は、コリメータレンズ６を保持するホルダ本体５１と、ホルダ本体５１に連結されてギア４のネジ溝４１に噛み合う噛合部５２と、を備えている。
ホルダ本体５１は、第二のガイド部８２の左側面８２d及び噛合部５２の間に位置する側面板５３と、側面板５３の前後端部にそれぞれ設けられた一対の前面板５４及び後面板５５と、を備え、これら側面板５３、前面板５４及び後面板５５が上面視略コ字状となるように一体に形成されている。前面板５４及び後面板５５には、それぞれコリメータレンズ６の前端面及び後端面が露出するように円弧状の開口部５４１，５５１が形成されている。側面板５３、前面板５４及び後面板５５によって囲まれた保持部にガイド部材８及びコリメータレンズ６が保持されている。
【００１３】
ガイド部材８の第一のガイド部８１は、ホルダ本体５１の互いに対向する前面板５４及び後面板５５の間に配置され、前面板５４の下端部及び後面板５５の下端部より下方に配置されている（図２参照）。そして、第一のガイド部８１の上面８１aにコリメータレンズ６が載置されている。ホルダ本体５１の前面板５４及び後面板５５の下端部は、コリメータレンズ６の下端部と略同じ高さとされている（図２参照）。
第二のガイド部８２は、第一のガイド部８１の上面８１aに載置されたコリメータレンズ６の外周面に当接するように、その長手方向が側面板５３に沿って配置されている（図４参照）。
【００１４】
コリメータレンズ６は、図２及び図５に示すように、前端面が閉塞し、後端面が開口した略円筒状をなしている。コリメータレンズ６は、例えば、樹脂を材料とした射出成形や、ガラスによる一体成形、又はガラスレンズを樹脂で保持するような形状となっている。ここで、コリメータレンズ６は、光軸方向に延在する棒状をなしていれば良く、例えば図示しないが、前端面及び後端面のいずれも閉塞した内部が中空の円筒状であっても良いし、内部に中空を有さない円柱状としても良い。
また、コリメータレンズ６の外周面の一部には、射出成形による充填痕を切断した切断面（切り欠き面）６aが形成されている。切断面６aは、コリメータレンズ６の外周面の一部にコリメータレンズ６の軸方向に沿って形成された平面であり、この切断面６aにコリメータレンズ６の軸方向に沿って延在する副軸７が当接している。
なお、副軸７を切断面６aに確実に当接させるために、図５(c)に示すように切断面６aの周囲に副軸７を支持する一対の突起６１，６１を形成しても良い。
【００１５】
このようにして、コリメータレンズ６は、第一のガイド部８１及び第二のガイド部８２に当接するとともに、副軸７に当接することによって、レンズホルダ５に保持され、光軸方向に直線移動自在とされている。
また、図示しないが、ステッピングモータ２の回転軸３及び副軸７は、コリメータレンズ６の中心に光軸が位置するように光軸方向に沿って平行となるようにシャーシ１に取り付けられている。
【００１６】
次に、上述の構成からなる光ピックアップ装置１００の動作について説明する。
まず、ステッピングモータ２が駆動することにより回転軸３が回転し、これに伴ってギ
ア４のネジ溝４１に噛合部５２が噛み合うことで、レンズホルダ５が光軸方向に移動する
。このとき、コリメータレンズ６の外周面は、ガイド部材８に当接しているので、ガイド
部材８に沿って光軸方向に移動でき、また、コリメータレンズ６の切断面６aが副軸７に
当接しているため、コリメータレンズ６の回転が規制され、コリメータレンズ６は回転す
ることなく光軸方向に直線移動する。
【００１７】
なお、上述のようにコリメータレンズ６と、レンズホルダ５と、ステッピングモータ２
及び回転軸３等のアクチュエータを備えたシャーシ１は、図示しない駆動手段によって光
ディスクの半径方向に移動され、光ディスクのトラックに集光された光束を照射させるト
ラッキング調整を行うようになっている。
【００１８】
以上、本発明の第一の実施の形態によれば、コリメータレンズ６が光軸方向に沿って延在する略円筒状をなし、シャーシ１上にコリメータレンズ６の外周面に当接し、コリメータレンズ６を光軸方向に沿って移動自在に案内するガイド部材８が設けられているので、ステッピングモータ２の回転軸３の回転に伴い、レンズホルダ５が光軸方向へ直線移動する際に、コリメータレンズ６の略円筒状を軸として使用し、コリメータレンズ６の外形を主軸の代わりとすることによって、軸を一本減らすことができ、光ピックアップ装置１００の全体形状の小型化を図ることができる。また、部品点数が削減され、それによる組み立て工数を減らすことができ、コストダウンに繋がる。また、光ピックアップ装置１００として軽量化でき、性能面で有利となる。さらに、品質面において各部品の公差が積み重なることによって生じる位置精度のばらつきも軽減することができる。
コリメータレンズ６の射出成形時に形成される充填痕の切断面６aに光軸方向に延在する副軸７が当接することによって、コリメータレンズ６の回転軸３の軸周りへの移動が規制されるので、簡易な構成で、コリメータレンズ６を光軸方向へと精度良く移動させることができる。また、副軸７を当接させる面は、射出成形時の充填痕の切断面６aであるため、別途形成する必要もなくその手間を省くことができる。
【００１９】
[第二の実施の形態]
図６(a)は、光ピックアップ装置を構成するステッピングモータ２Ａ、回転軸３Ａ、副
軸７Ａ及びコリメータレンズ６Ａの斜視図、(b)は、(a)における上面図、(c)は、(a)における前面図である。
第二の実施の形態では、レンズホルダ５Ａの回転を規制するためにレンズホルダ５Ａ側
に副軸７Ａが設けられている。そのため、第一の実施の形態の光ピックアップ装置１００
と比較して、ホルダ本体の形状が異なる以外は同様の構成のため、同様の構成部分につい
ては同様の数字に英字Ａを付してその説明を省略する。
レンズホルダ５Ａは、コリメータレンズ６Ａを保持するホルダ本体５１Ａと、ホルダ本
体５１Ａに固定されてギア４Ａに噛み合う噛合部５２Ａと、を備えている。
ホルダ本体５１Ａは、第二のガイド部８２Ａの左側面８２dＡ及び噛合部５２Ａの間に
位置する側面板５３Ａと、側面板５３Ａの上下端部にそれぞれ設けられた一対の上面板５
６Ａ及び下面板５７Ａと、を備え、これら側面板５３Ａ、上面板５６Ａ及び下面板５７Ａ
が前面視略コ字状となるように一体に形成されている。上面板５６Ａ及び下面板５７Ａに
は、それぞれコリメータレンズ６の外周面が露出するように略矩形状の開口部５６２Ａが
形成され、上面板５６Ａ及び下面板５７Ａは矩形枠状とされている。側面板５３Ａ、上面
板５６Ａ及び下面板５７Ａによって囲まれた保持部にガイド部材８Ａ及びコリメータレン
ズ６Ａが保持されている。
上面板５６Ａの下面で右側縁部には、下側に突出する凸状の押さえ部５６１Ａが形成され、下面板５７Ａの上面で右側縁部には、上側に突出する凸状の押さえ部５７１Ａが形成され、これら押さえ部５６１Ａの下面と押さえ部５７１Ａの上面との間に、コリメータレンズ６Ａの軸方向に沿って延在する副軸７Ａが配置され、押さえ部５６１Ａ，５７１Ａに当接している。
【００２０】
ガイド部材８の第一のガイド部８１は、下面板５７Ａの下面より下方に配置され、第一のガイド部８１の上面にコリメータレンズ６Ａが載置されている。下面板５７Ａの下面は、コリメータレンズ６Ａの下端部と略同じ高さとされている。
第二のガイド部８２Ａは、第一のガイド部８１Ａの上面に載置されたコリメータレンズ６Ａの外周面に当接するように、その長手方向が側面板５３Ａに沿って配置されている。
【００２１】
また、コリメータレンズ６Ａは、第一の実施の形態と同様の略円筒状をなし、第一のガイド部８１Ａ及び第二のガイド部８２Ａに当接するとともに、レンズホルダ５Ａの移動に伴って、光軸方向に直線移動自在とされている。
また、ステッピングモータ２Ａの回転軸３Ａ及び副軸７Ａは、コリメータレンズ６Ａの中心に光軸が位置するように光軸方向に沿って平行となるようにシャーシ（図示しない）に取り付けられている。
【００２２】
次に、上記構成からなる光ピックアップ装置の動作について説明する。
まず、第一の実施の形態の光ピックアップ装置１００と同様にして、ステッピングモータ１Ａが駆動することにより回転軸２Ａが回転し、これに伴ってギア４Ａのネジ溝４１Ａに噛合部５２Ａが噛み合うことで、レンズホルダ５Ａが光軸方向に移動する。このとき、コリメータレンズ６Ａの外周面がガイド部材８Ａに当接しているので、ガイド部材８Ａに沿って光軸方向に移動でき、また、レンズホルダ５Ａの互いに対向する凸部５６１Ａ，５７１Ａが副軸７Ａに当接しているため、レンズホルダ５Ａの回転が規制され、レンズホルダ５Ａは光軸方向に沿って移動する。
【００２３】
以上、第二の実施の形態によれば、レンズホルダ５Ａに光軸方向に延在する副軸７Ａが当接することによって、レンズホルダ５Ａの回転軸３Ａの軸周りへの移動が規制されるので、簡易な構成で、レンズホルダ５Ａを光軸方向へと精度良く移動させることができる。その結果、レンズホルダ５Ａに保持されたコリメータレンズ６Ａも光軸方向へと移動させることができる。
特に第二の実施の形態では、第一の実施の形態のように射出成形による形成ができないガラスを材料としたコリメータレンズ５Ａの場合に有効である。
なお、その他、第一の実施の形態と同様の構成部分については同様の効果を得ることができるので、その説明は省略する。
【００２４】
なお、本発明は上記実施の形態に限定されるものではなく、その要旨を逸脱しない範囲で適宜変更可能である。
例えば、上記第一及び第二の実施の形態において、コリメータレンズ６，６Ａを光軸方向に移動させる場合を例に挙げたが、コリメータレンズに限らず、対物レンズ等に適用しても構わない。
【図面の簡単な説明】
【００２５】
【図１】第一の実施の形態を示したものであって、光ピックアップ装置１００の上面図である。
【図２】図１における切断線I−Iに沿って切断した際の矢視断面図である。
【図３】光ピックアップ装置１００を構成するシャーシ１及びガイド部材８の外観斜視図である。
【図４】(a)は、ステッピングモータ２、回転軸３、副軸７及びコリメータレンズ６の斜視図、(b)は、(a)における上面図、(c)は、(a)における前面図である。
【図５】(a)は、ガイド部材８、コリメータレンズ６及び副軸７の斜視図、(b)は、(a)における前面図、(c)は、コリメータレンズ６に突起６１が形成された変形例を示した前面図である。
【図６】第二の実施の形態を示したものであって、(a)は、光ピックアップ装置を構成するステッピングモータ２Ａ、回転軸３Ａ、副軸７Ａ及びコリメータレンズ６Ａの斜視図、(b)は、(a)における上面図、(c)は、(a)における前面図である。
【図７】従来例を示したものであって、光ピックアップ装置２００と光ディスク２１１の位置関係を示した斜視図である。
【図８】光ピックアップ装置２００の斜視図である。
【符号の説明】
【００２６】
１  シャーシ
２  ステッピングモータ
３  回転軸
５  レンズホルダ
６  コリメータレンズ
６a  切断面（切り欠き面）
７  副軸
８  ガイド部材
１１  光源
８１  第一のガイド部
８２  第二のガイド部
１００  光ピックアップ装置
【図１】
2008251065.tif 000003
【図２】
2008251065.tif 000004
【図３】
2008251065.tif 000005
【図４】
2008251065.tif 000006
【図５】
2008251065.tif 000007
【図６】
2008251065.tif 000008
【図７】
2008251065.tif 000009
【図８】
2008251065.tif 000010